(57)【特許請求の範囲】
【請求項１】
シャーシ(１)上に、モータ(Ｍ)と、該モータ(Ｍ)の回転力を被駆動部材を移動させるネジ軸(20)に伝達するギア列(４)と、該ギア列(４)を保持する複数のブラケット(２)(３)とを設け、ギア列(４)は複数のブラケット(２)(３)に跨って設けられた電気機器に於いて、
ネジ軸(20)の両端部は、一方のブラケット(２)に支持されて、ギア列(４)は他方のブラケット(３)上に位置する第１のギア(５)と、ネジ軸(20)の一端部に設けられた第２のギア(６)を具え、
隣接するブラケット(２)(３)間には、両ギア(５)(６)の噛合いを最適に保持する位置決め機構が配備され、該位置決め機構は第１のギア(５)の回転中心である支持軸(50)と、第２のギア(６)を保持するブラケット(２)上に一体に形成され、支持軸(50)が嵌合する被係合部とを有することを特徴とする電気機器。
【請求項２】
被係合部は、上面が開口した凹溝(23)であり、支持軸(50)は凹溝(23)の上から挿入可能に設けられた請求項１に記載の電気機器。
【請求項３】
シャーシ(１)上にはディスクＤが載置され、被駆動部材はディスクＤに光線を発するピックアップ(10)である請求項１又は２に記載の電気機器。
【発明の詳細な説明】
【０００１】
【発明の属する技術分野】
本発明は、ギア列を具えた電気機器、具体的にはディスクに光線を発するピックアップを駆動するギア列を具えたディスク記録又は再生装置に関する。
【０００２】
【従来の技術】
図５は、従来のディスク記録又は再生装置の斜視図である。ディスクＤはカートリッジ(７)に収納されている。シャーシ(１)上に設けられた開口(13)の一端縁にはディスクＤを回転させるターンテーブル(70)が設けられ、開口(13)内には、ピックアップ(10)がターンテーブル(70)に接近離間可能に設けられている。ピックアップ(10)は上面に設けた対物レンズ(14)から光線を発して、ディスクＤに信号を記録し、又はディスクＤから信号を読み出す。
【０００３】
図４は、同上の裏面図である。ピックアップ(10)は開口(13)の側方に設けられたガイド軸(21)(22)に移動を案内され、一方のガイド軸(21)の側方には該ガイド軸(21)に平行なネジ軸(20)が設けられている。ガイド軸(21)とネジ軸(20)は第１ブラケット(２)に支持されている。第１ブラケット(２)の近傍には、第２ブラケット(３)が設けられ、第１、第２ブラケット(２)(３)は、ともに合成樹脂の射出成型により形成される。
第２ブラケット(３)には先端部に小ギア(40)を嵌めたモータ(Ｍ)及び小ギア(40)に噛合した第１のギア(５)が設けられている。第１のギア(５)は第２ブラケット(３)から第１ブラケット(２)に向かって突出した支持軸(50)に嵌められている。一方、ネジ軸(20)の一端部は第１ブラケット(２)の外側に突出して第２のギア(６)を嵌めている。第２ブラケット(３)がシャーシ(１)に取り付けられた状態にて、第１のギア(５)は第２のギア(６)と噛合する。小ギア(40)、第１のギア(５)、第２のギア(６)にてギア列(４)を構成し、各ギア(40)(５)(６)の中心軸は同一方向を向いている。該ギア列(４)が第１、第２ブラケット(２)(３)に跨って設けられている理由は後記する。
【０００４】
【発明が解決しようとする課題】
第１ブラケット(２)、第２ブラケット(３)は、シャーシ(１)に別々に取り付けられるので、両ブラケット(２)(３)の相対位置がバラ付きやすい。これにより、第１のギア(５)が第２のギア(６)に食い込むことがあり、モータ(Ｍ)回転時に騒音が発生しやすくなる。
出願人は、この騒音発生の虞れを防ぐべく、両ブラケット(２)(３)間に位置決め機構を設けることを着想したが、第１のギア(５)と第２のギア(６)の位置を正確に定めれば騒音防止に最も効果的であることに気付いた。即ち、第１のギア(５)と第２のギア(６)の相対位置が正確に定まれば、両ブラケット(２)(３)の他の箇所がバラ付いても支障はない。
本発明の目的は、複数のブラケットに跨って設けられたギア列の騒音を防止することにある。
【０００５】
【課題を解決する為の手段】
シャーシ(１)上に、モータ(Ｍ)と、該モータ(Ｍ)の回転力を被駆動部材を移動させるネジ軸(20)に伝達するギア列(４)と、該ギア列(４)を保持する複数のブラケット(２)(３)とを設け、ギア列(４)は複数のブラケット(２)(３)に跨って設けられた電気機器に於いて、
ネジ軸(20)の両端部は、一方のブラケット(２)に支持されて、ギア列(４)は他方のブラケット(３)上に位置する第１のギア(５)と、ネジ軸(20)の一端部に設けられた第２のギア(６)を具え、
隣接するブラケット(２)(３)間には、両ギア(５)(６)の噛合いを最適に保持する位置決め機構が配備され、該位置決め機構は第１のギア(５)の回転中心である支持軸(50)と、第２のギア(６)を保持するブラケット(２)上に一体に形成され、支持軸(50)が嵌合する被係合部とを有する。
【０００６】
【作用及び効果】
ブラケット(２)(３)をシャーシ(１)に取り付ける際に、第１のギア(５)の支持軸(50)と被係合部を嵌める。被係合部はブラケット(２)上に一体に形成されているから、ブラケット(２)上にて被係合部と第２のギア(６)の相対位置は正確に規定される。支持軸(50)は第１のギア(５)と同軸であるから、支持軸(50)を被係合部に嵌めれば、第１のギア(５)と第２のギア(６)の相対位置、特に中心軸間距離はバラ付くことなく定まる。また、ブラケット(２)(３)間の相対位置がバラついても、両ギア(５)(６)の相対位置は正確に定まる。これにより、両ギア(５)(６)が互いに食い込んで騒音を発生する虞れは防止できる。
【０００７】
【発明の実施の形態】
以下、本発明の一例を図を用いて詳述する。本例にあっては、上面は図５に示す従来の装置と同じであり、裏面に設けられたブラケット(２)(３)上のギア(５)(６)の位置決め機構に特徴がある。
図１は、ディスク記録又は再生装置の一部を表した裏面図である。第１ブラケット(２)、第２ブラケット(３)は従来と同様に、ともに合成樹脂の射出成型により設けられる。第２ブラケット(３)にはモータ(Ｍ)の小ギア(40)に噛合した第１のギア(５)が設けられ、第１ブラケット(２)には、第１のギア(５)に噛合する第２のギア(６)が設けられている。第１のギア(５)は、第２のギア(６)に噛合して、モータ(Ｍ)の回転動力をネジ軸(20)に伝える。
第１ブラケット(２)に保持されたネジ軸(20)には、ピックアップ(10)の一端部が被さり、該一端部に形成された透孔(11)から係合片(12)が下向きに突出する。図２は、図１をＡ方向から見た断面図である。該係合片(12)は尖った先端部がネジ軸(20)の谷部に嵌まり、ネジ軸(20)が回転すると係合片(12)及びピックアップ(10)がガイド軸(21)(22)に沿って移動する。係合片(12)をこのようにネジ軸(20)に嵌めることにより、ピックアップ(10)をネジ軸(20)の上から取り付けることができる。
【０００８】
図３は、第１、第２ブラケット(２)(３)の分解斜視図である。シャーシ(１)に予め第１ブラケット(２)が取り付けられた状態で、第２ブラケット(３)が上から取り付けられる。第１のギア(５)は、第２ブラケット(３)から第１ブラケット(２)に向かって突出した支持軸(50)を中心として回転自在に嵌まる。第１ブラケット(２)の上面には、前記支持軸(50)の先端部が緊密に嵌まる凹溝(23)が開設されている。
第２ブラケット(３)を取り付ける際には、支持軸(50)の先端部を凹溝(23)の上から嵌めて、然る後に第２ブラケット(３)をシャーシ(１)に取り付ける。支持軸(50)は凹溝(23)により左右方向の振れが規制される。
【０００９】
凹溝(23)は、第１ブラケット(２)の成型時に一体に設けられるから、第２のギア(６)と凹溝(23)間の相対位置のバラ付きは小さい。従って、凹溝(23)に嵌まった支持軸(50)と第２のギア(６)との相対位置、特に軸間距離(図１のＨ)がバラ付くことは防止され、第１のギア(５)と第２のギア(６)の噛み合いは最適に保持される。これにより、両ギア(５)(６)が互いに食い込んで騒音を発生する虞れは防止できる。
一般に２つの部材の相対位置を位置決めする機構は、種々のものがある。しかし、本例にあっては、ギア(５)の回転中心である支持軸(50)を第１ブラケット(２)に嵌めることにより、ギア(５)(６)の中心軸間距離を正確に定めることに特徴がある。これにより、ブラケット(２)(３)間の相対位置がバラついても、両ギア(５)(６)の相対位置は正確に定まる。
また、支持軸(50)は凹溝(23)の上から取り付けられるから、第２ブラケット(３)をシャーシ(１)に取り付けるのと同時に支持軸(50)を凹溝(23)に嵌めることができる。従って、第２ブラケット(３)の取付け作業性が悪くならない。
【００１０】
ギア列(４)を２つのブラケット(２)(３)に跨って設けた理由を以下に示す。斯種装置にあっては、小型化が要望されており、装置の高さ及びピックアップ(10)の移動方向に沿ったシャーシ(１)の幅を小さくすることが求められている。加えて、出願人はコスト上昇を防ぐために、市販に係わる汎用品のモータを用いて、ネジ軸(20)を回転させることを着想した。
モータ(Ｍ)が市販品であるからモータ(Ｍ)の長さ寸法を変えることはできない。しかし、シャーシ(１)の幅を狭める必要がある。そこで、第１ブラケット(２)と、第２ブラケット(３)の少なくとも一方を狭める必要がある。しかし、第１ブラケット(２)はピックアップ(10)を案内するガイド軸(21)を保持しており、ピックアップ(10)の移動距離は変えられないから、ガイド軸(21)を短くできない。従って、第１ブラケット(２)をピックアップ(10)の移動方向に短くできないから、第２ブラケット(３)を薄くする必要がある。
【００１１】
しかし、モータ(Ｍ)の回転数に比してピックアップ(10)を稍遅く移動させるには、ギア列(４)の減速比を大きく設定する必要があり、第１のギア(５)を大きく形成している。装置の高さを薄くする必要があるから、第２ブラケット(３)を第１のギア(５)より高く設けることは好ましくない。図３に於いて、シャーシ(１)に第１のギア(５)の一部が嵌まる孔(15)を開設して、第１のギア(５)が突出する高さを低くしているが、第２ブラケット(３)をできるだけ低くする必要がある。従って、第２ブラケット(３)は高さが低く、厚みが薄い成型品となる。ここで、第１ブラケット(２)と第２ブラケット(３)を金型にて一体に成型すると、第２ブラケット(３)が薄い為に成型不良を起こす虞れがあり、成型品全体が不良となる。
そこで、第１ブラケット(２)と第２ブラケット(３)を別個の構成とし、第２ブラケット(３)が薄い為に成型不良となっても、第１ブラケット(２)にこの成型不良の影響が及ばないようにした。
【００１２】
上記例では、ギア列(４)を全て平歯車にて構成しているが、図６に示すように、ギア列(４)を傘歯車で構成しても良い。また、ブラケット(２)(３)は２つ以上であってもよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】ディスク記録又は再生装置の一部を表した裏面図である。
【図２】図１をＡ方向から見た断面図である。
【図３】第１、第２ブラケットの分解斜視図である。
【図４】従来のディスク記録又は再生装置の裏面図である。
【図５】従来のディスク記録又は再生装置の斜視図である。
【図６】ギア列の別の実施例を示す平面図である。
【符号の説明】
(１)  シャーシ
(２)  第１ブラケット
(３)  第２ブラケット
(４)  ギア列
(５)  第１のギア
(６)  第２のギア
【図１】
0003679667.tif 000002
【図２】
0003679667.tif 000003
【図３】
0003679667.tif 000004
【図４】
0003679667.tif 000005
【図５】
0003679667.tif 000006
【図６】
0003679667.tif 000007